(57)【要約】      （修正有）【課題】手で押し込むだけで取り付けることができ、生産性、デザイン性、操作性に優れる設定スイッチを提供する。【解決手段】最内側の被取付軸に嵌合する筒形穴部に、変形性材料で、円又は多角形の筒穴形状又は環状形状のインナー構造体を内設する。さらに、全体が単一の変形性材料で成形される。【選択図】図２
0003161042.tif 000002
【実用新案登録請求の範囲】
【請求項１】
パネル側被取付軸に取り付けるための設定ダイヤルであって、
最内側の被取付軸に嵌合する筒形穴部に、変形性材料で、円又は多角形の筒穴形状または環状形状のインナー構造体を内設する設定ダイヤル。
【請求項２】
上記、インナー構造体を持たない変形性材料の環状形の円又は多角形の穴形状を内接する設定ダイヤル。
【請求項３】
請求項１または２に記載の設定ダイヤルにおいて、変形性材料がゴム、ウレタン樹脂、ＡＢＳ樹脂、ポリアセタール樹脂、高分子量ポリエチレン、ナイロンなどの樹脂類、または真鍮などの金属から選ばれる設定ダイヤル。
【考案の詳細な説明】
【技術分野】
【０００１】本考案は、車両、船舶、電化製品などの電気装置の設定・調節用回転及び押し込みスイッチの形状に関する。
【背景技術】
【０００２】  設定用回転及び押し込みダイヤルとパネル側取付軸に取り付ける方法として、容易に空回りや脱落のないよう緊密に取りつけできるようにする方法に以下のようなものがある。
設定ダイヤル本体の嵌挿穴に、パネル側取付軸に加工された歯形状（セレーション）に噛合するような加工を施して結合する方法。設定ダイヤルに、車両パネル側取付軸に施された平面取り形状に嵌合する平面取り形状を設定して結合させる。また、設定ダイヤル部側にセットねじ穴加工をして、セットねじを使用して締結させる。
また、上記のような形状同士を噛合・嵌合したり、セットねじによる締結を組み合わせた取付結合のしかたがある。【０００３】  この考案は、取付相手側軸の形状が、歯形状（セレーション）・平面取り形状などによらず、またセットねじを使わずに、押し込むだけで嵌挿取付完了とすることができる構造を考案したものである。
【考案が解決しようとする課題】
【０００４】  一般に被取付軸には上記に記したような、歯形状・平面取り形状になっており、容易に空回り・脱落することのないように緊密に取付するために、設定ダイヤルの挿入穴側にも被取付軸に対峙する歯形状・平面取り形状を成形・成型したり、また、ねじ穴加工をしてねじを用いた締結方法を用いる必要があった。
従って、従来の技術でこのような設定ダイヤル・つまみ類を生産するには、軸嵌合面の形に合った挿入穴を形成するために、樹脂成型用の型を製作するなどの多くの生産行程や精密な寸法管理が必要であった。
また、取付結合する際には、歯形状の嵌合部や平面取り形状の角度・方向を合わせて挿入するなどの煩雑な取付行程が必要であった。
【課題を解決するための手段】
【０００５】  本考案は、相手パネル側取付軸の外径寸法よりも小さい穴径とした円または多角形の筒状の穴を持つインナー構造材が嵌着された構造の本ダイヤルを、歯形状（ローレット形状）成形、平面取り成形の必要なく、また、それらの有無によらず、セットねじを用いた締結方法も使用せず、押し込むだけで取り付け嵌挿完了とすることができる構造を考案したものである。
【０００６】  そして、上記した課題を解決するために、パネル側被取付軸に取り付けるための最内側の被取付軸に嵌合する筒形状部に、変形性材料で、歯形状（セレーション形状）や平面取り形状を持たない、円又は多角形の筒形穴を持つ筒状のインナー構造体、又は環状形のインナー構造体を内設したことを特徴としている。
それは、ダイヤル本体、インナー部材のそれぞれに最適な材質を選択することができるという特徴を持っている。
また、ダイヤル本体を変形性材料で形成すれば、インナー構造を持たない構造とすることも可能である。
そしてまた、円又は多角形の筒形穴の構造体の最内側に、被結合軸に合わせた歯形状や平面取り成形を施したり、キー溝とキー材を用いた結合方法を組み合わせて用いることもできる。
【考案の効果】
【０００７】  被取付パネル側取付軸は一般的に金属製で、それに対して、本設定ダイヤルインナー構造部の材料は変形性を持つので、相手取付軸部材によって転造成形されやすい材質である。従って、取付結合行程は、手で押し込むことだけでその作業が完了となる。
被取付軸に取付結合する最には、被取付軸の外径寸法よりも小さく成形した最内側筒状穴部を持つ本ダイヤルを圧入という手段を持って結合する構造であるので、本ダイヤル側には必ずしも取付軸側に緻密に嵌合するような歯形状・平面取り形状成形をする必要が無い。また、圧入による取付方法なので、製作に於いて精密な寸法管理の必要が無い。
また設定ダイヤル側にセットねじ加工とセットねじを使用しないので、部品点数削減と取付工数を削減することができる。
そして、本考案は、セットねじ穴を持たない構造という特徴を持つので、無限回動式の設定ダイヤルに於いても、デザイン性、操作性に優れる設定スイッチを提供することができる。
【図面の簡単な説明】
【０００８】
【図１】  本考案の実施形態による設定ダイヤルを構成するダイヤル本体と被取付軸を示した側面断面図である。
【図２】  本考案の形態を示した（ａ）側面断面図、及び（ｂ）正面図である。
【図３】  筒状インナー構造体を内接する設定ダイヤル本体を示した（ａ）側面断面図、及び（ｂ）正面図である。
【図４】  筒状インナー構造体を示した（ａ）側面断面図、及び（ｂ）正面図である。
【図５】  環状構造体を内設した設定ダイヤルの形態を示した（ａ）側面断面図、及び（ｂ）正面図である。
【図６】  環状構造体を内設する設定ダイヤル本体を示した（ａ）側面断面図、及び（ｂ）正面図である。
【図７】  環状構造体を示した（ａ）側面断面図、及び（ｂ）正面図である。
【図８】  インナー構造を持たない、本体に弾性・柔軟性のある材質を持った設定ダイヤルを示した（ａ）側面断面図、及び（ｂ）正面図である。
【図９】  歯形形状（セレーション）を持つ被取付軸を示した（ａ）正面図、及び（ｂ）側面図である。
【図１０】  平面取り形状を持つ被取付軸を示した（ａ）側面断面図、及び（ｂ）正面図である。
【図１１】  従来技術であるセットねじを使用した実施形態を示した（ａ）側面断面図、及び（ｂ）正面図である。
【考案を実施するための形態】
【０００９】  この考案の被取付軸に嵌着された実施形態を図１に示す。
この考案の筒状インナー構造体を内接した実施形態を図２に示す。
図３は設定ダイヤル本体である。
図４は変形性材料のインナー構造体である。
このインナー構造体は、人の手によって押し込まれる際、容易に変形することができ、さらにダイヤルとして機能するに足る保持・剛性が保たれるように嵌着される材質なら樹脂、ゴム、または真鍮などの金属でもよい。
このインナー構造体の最内側の筒穴部（相手軸に嵌め合う部分）の形状は、円及び多角形の筒形貫通穴又は非貫通穴として、ダイヤル本体とは別行程で製作の上、設定ダイヤル本体に嵌着保持されている。
この考案の環状インナー構造体を内接する実施形態を図５に示す。
図６は環状インナー構造体を内接させるための設定ダイヤル本体である。
図７は変形性材料の環状インナー構造体である。
このインナー構造体は、人の手によって押し込まれる際、容易に変形することができ、さらにダイヤルとして機能するに足る保持剛性が保たれるように嵌着されるような変形性を持つ材質なら、ゴム、ウレタン樹脂、ＡＢＳ樹脂、ポリアセタール樹脂、高分子量ポリエチレン、ナイロンなどの樹脂類、または真鍮などの金属でもよい。
図８はダイヤル本体を変形性材料で形成した、インナー構造体を持たない構造の設定ダイヤル本体である。
図９は本考案の設定ダイヤルを取り付ける、歯形状（セレーション形状）が施されたパネル側被取付軸を示したものである。
図１０は本考案の設定ダイヤルを取り付ける、平面取り形状が施されたパネル側被取付軸を示したものである。
図１１はセットねじ穴加工を施し、セットねじを組み合わせた、従来の技術による取り付け方法を示したものである。
【産業上の利用可能性】
【００１０】  本考案の設定ダイヤルは、押し込み挿入することにより、本ダイヤルのインナー構造体がパネル側被取付軸の形状に変形成形される構造であるので、従来の歯形状（セレーション形状）、平面取り加工を設定ダイヤル側軸嵌挿部に施す必要が無い。又、圧入嵌挿の際の締まり嵌め交差に幅を持つため、緻密な加工精度が不必要という、従来の技術による部品製作コストに比べて、低コストで製作することができるという特徴をもつ。【００１１】  セットねじを使用しないので、セットねじ穴加工の製作コストを押さえることができる。
また、セットねじを用いた結合方法に比べ、被取付軸への取付結合時に、セットねじの取付・締め付け行程を必要としないので、取り付けコストをも削減することができる。
そして、本設定ダイヤルの柔軟性を持つインナー構造体は、パネル側被取付軸の歯形状（セレーション形状）や平面取り加工形状に正確に合わせたものとする必要がない、という特徴を持つので、車両メーカー・船舶メーカー・電器製品器機メーカーの製造する、既存の設定ダイヤルを、ユーザーがアフターカスタマイズパーツとして、好みのものに交換する場合も、設定ダイヤル本体を色々なデザイン・材質を使用したもので製造し、提供することができる。
【符号の説明】
【００１２】１  本設定ダイヤル本体
２  筒形状インナー構造体
３  パネル側非取付軸
４  円又は多角形の筒状穴
５  環状インナー構造体
６  セットねじ用ねじ穴
７  セットねじ
【図１】
0003161042.tif 000003
【図２】
0003161042.tif 000004
【図３】
0003161042.tif 000005
【図４】
0003161042.tif 000006
【図５】
0003161042.tif 000007
【図６】
0003161042.tif 000008
【図７】
0003161042.tif 000009
【図８】
0003161042.tif 000010
【図９】
0003161042.tif 000011
【図１０】
0003161042.tif 000012
【図１１】
0003161042.tif 000013
【手続補正書】
【提出日】平成22年3月24日(2010.3.24)
【手続補正１】
【補正対象書類名】実用新案登録請求の範囲
【補正対象項目名】請求項２
【補正方法】変更
【補正の内容】
【請求項２】
全体が単一の変形性材料で成形されることを特徴とする請求項１記載の設定ダイヤル。